(57)【特許請求の範囲】
【請求項１】
端部に端子金具が接続された電線と、
前記端子金具を収容するコネクタと、
端部同士が重なった状態で軸線方向に並ぶように配された第１筒状部材と第２筒状部材とを備え、前記電線のうち前記コネクタの外部へ導出されている領域を包囲する外装部材と、
前記第１筒状部材の前記端部に形成され、前記第１筒状部材の端縁から軸線方向に延びた伸長用誘導溝と、
前記第１筒状部材に形成され、前記伸長用誘導溝の奥端部から周方向に延びた連通溝と、
前記第１筒状部材に形成され、前記連通溝の延び方向先端部から軸線方向に沿って前記伸長用誘導溝とは反対向きに延びた収縮用誘導溝と、
前記第２筒状部材の前記端部に形成され、前記第２筒状部材の端縁を凹ませた形態の切欠部とを備えていることを特徴とするワイヤーハーネス。
【請求項２】
前記伸長用誘導溝の奥端部に形成された回り止め部を備えていることを特徴とする請求項１記載のワイヤーハーネス。
【請求項３】
電線のうちコネクタの外部へ導出された領域を包囲するものであり、
第１筒状部材と、
前記第１筒状部材に対し、端部同士が重なった状態で軸線方向に並ぶように配された第２筒状部材と、
前記第１筒状部材の前記端部に形成され、前記第１筒状部材の端縁から軸線方向に延びた伸長用誘導溝と、
前記第１筒状部材に形成され、前記伸長用誘導溝の奥端部から周方向に延びた連通溝と、
前記第１筒状部材に形成され、前記連通溝の延び方向先端部から軸線方向に沿って前記伸長用誘導溝とは反対向きに延びた収縮用誘導溝と、
前記第２筒状部材の前記端部に形成され、前記第２筒状部材の端縁を凹ませた形態の切欠部とを備えていることを特徴とする外装部材。
【請求項４】
前記伸長用誘導溝の奥端部に形成された回り止め部を備えていることを特徴とする請求項３記載の外装部材。
【発明の詳細な説明】
【技術分野】
【０００１】
本発明は、ワイヤーハーネス及び外装部材に関するものである。
【背景技術】
【０００２】
特許文献１には、コネクタ間に配索された電線を包囲する保護手段として、コルゲートチューブからなる外装部材が開示されている。コルゲートチューブは、その長さ方向に収縮可能であるから、電線をコルゲートチューブに先通しした状態で、電線の両端部に接続した端子金具をコネクタに接続することができる。端子金具をコネクタに接続した後は、外装部材を伸長させ、外装部材の端部を結束バンドで電線に固定すれば、外装部材を伸長状態に保持し、電線のうちコネクタの外部へ導出された領域を包囲することができる。
【先行技術文献】
【特許文献】
【０００３】
【特許文献１】特開２００３−２３５１２４号公報
【発明の概要】
【発明が解決しようとする課題】
【０００４】
結束バンドは、大きく弾性変形させて外装部材を包囲するため、結束バンドには弾性を有する合成樹脂材料が用いられる。しかし、自動車のオーチマチックトランスミッション内部のような高温の作動油中に浸漬される環境下では、弾性を有する合成樹脂の劣化が進み易い。そのため、このような環境下では、外装部材を伸長状態に保持する手段として結束バンドでを用いることが難しい。
【０００５】
本発明は上記のような事情に基づいて完成されたものであって、他部材を用いることなく外装部材を伸長状態に保持することを目的とする。
【課題を解決するための手段】
【０００６】
第１の発明のワイヤーハーネスは、
端部に端子金具が接続された電線と、
前記端子金具を収容するコネクタと、
端部同士が重なった状態で軸線方向に並ぶように配された第１筒状部材と第２筒状部材とを備え、前記電線のうち前記コネクタの外部へ導出されている領域を包囲する外装部材と、
前記第１筒状部材の前記端部に形成され、前記第１筒状部材の端縁から軸線方向に延びた伸長用誘導溝と、
前記第１筒状部材に形成され、前記伸長用誘導溝の奥端部から周方向に延びた連通溝と、
前記第１筒状部材に形成され、前記連通溝の延び方向先端部から軸線方向に沿って前記伸長用誘導溝とは反対向きに延びた収縮用誘導溝と、
前記第２筒状部材の前記端部に形成され、前記第２筒状部材の端縁を凹ませた形態の切欠部とを備えているところに特徴を有する。
【０００７】
第２の発明の外装部材は、
電線のうちコネクタの外部へ導出された領域を包囲するものであり、
第１筒状部材と、
前記第１筒状部材に対し、端部同士が重なった状態で軸線方向に並ぶように配された第２筒状部材と、
前記第１筒状部材の前記端部に形成され、前記第１筒状部材の端縁から軸線方向に延びた伸長用誘導溝と、
前記第１筒状部材に形成され、前記伸長用誘導溝の奥端部から周方向に延びた連通溝と、
前記第１筒状部材に形成され、前記連通溝の延び方向先端部から軸線方向に沿って前記伸長用誘導溝とは反対向きに延びた収縮用誘導溝と、
前記第２筒状部材の前記端部に形成され、前記第２筒状部材の端縁を凹ませた形態の切欠部とを備えているところに特徴を有する。
【発明の効果】
【０００８】
切欠部と収縮用誘導溝を嵌合させた状態では、第１筒状部材の端部と第２筒状部材の端部との軸線方向における重なり寸法が比較的大きいので、外装部材が収縮した状態となる。この状態から第１筒状部材と第２筒状部材を軸線方向及び周方向に相対変位させて切欠部と伸長用誘導溝を嵌合させると、第１筒状部材の端部と第２筒状部材の端部の軸線方向における重なり寸法が小さくなり、外装部材が伸長する。この状態で切欠部の奥端と伸長用誘導溝の奥端とを軸線方向に当接させれば、別部材を用いなくても、外装部材は、収縮することを規制され、伸長状態に保持される。
【図面の簡単な説明】
【０００９】
【図１】実施例１において外装部材を伸長させた状態をあらわすワイヤーハーネスの側面図
【図２】図１の部分拡大側面図
【図３】外装部材を収縮させた状態をあらわすワイヤーハーネスの側面図
【図４】図３の部分拡大側面図
【図５】図４のＸ−Ｘ線断面図
【図６】図４のＹ−Ｙ線断面図
【図７】第１筒状部材の部分拡大側面図
【図８】第２筒状部材の部分拡大側面図
【図９】第２筒状部材の正面図
【発明を実施するための形態】
【００１０】
第１及び第２の発明は、前記伸長用誘導溝の奥端部に形成された回り止め部を備えていてもよい。この構成によれば、外装部材を伸長状態に保持するときに、切欠部の奥端を回り止め部に嵌入すれば、第１筒状部材と第２筒状部材の相対回転が規制される。これにより、切欠部が収縮用誘導溝側へ不正に変位することがないので、外装部材を確実に伸長状態に保持しておくことができる。
【００１１】
＜実施例１＞
以下、本発明を具体化した実施例１を図１〜図９を参照して説明する。尚、以下の説明において、前後の方向については、図１〜４における右方を前方と定義する。上下の方向については、図１〜９にあらわれる向きを、そのまま上方、下方と定義する。左右の方向については、図５，６，９にあらわれる向きを、そのまま左方、右方と定義する。
【００１２】
本実施例１のワイヤーハーネス１０は、自動車のオーチマチックトランスミッション内部のような高温の作動油中に浸漬される環境下で使用されるものである。ワイヤーハーネス１０は、複数本の電線１１と、複数の端子金具１２と、一対のコネクタ１３と、外装部材２０とを備えて構成されている。複数本の電線１１は束ねられた状態で前後方向に配索されており、各電線１１の前後両端に端子金具１２が固着されている。電線１１の前端に固着された端子金具１２は、前側のコネクタ１３内に収容され、電線１１の後端に固着された端子金具１２は、後側のコネクタ１３内に収容されている。
【００１３】
外装部材２０は、円筒状をなし、複数本の電線１１のうち前後両コネクタ１３の間においてコネクタ１３外へ導出された長尺の領域を一括して包囲して保護するものである。外装部材２０は、耐油性及び耐熱性を有する合成樹脂からなる円筒形の第１筒状部材２１と、同じく耐油性及び耐熱性を有する合成樹脂からなる円筒形の第２筒状部材２２とを備えて構成されている。
【００１４】
第１筒状部材２１は、電線１１のうち後側のコネクタ１３の前面から前側のコネクタ１３より後方の位置に至る領域を包囲する。第２筒状部材２２は、電線１１のうち第１筒状部材２１の前端よりも後方の位置から前側のコネクタ１３の後面に至る領域を包囲する。したがって、第１筒状部材２１の前側接続端部２１Ｆ（請求項に記載の第１筒状部材の端部）と第２筒状部材２２の後側接続端部２２Ｒ（請求項に記載の第２筒状部材の端部）は、軸線方向において重なり合っている。
【００１５】
第１筒状部材２１の前側接続端部２１Ｆには、第１筒状部材２１の軸線に関して点対称な左右一対の嵌合溝２３が形成されている。嵌合溝２３は、伸長用誘導溝２４と、連通溝２５と、収縮用誘導溝２６と、回り止め部２７とから構成されている。伸長用誘導溝２４は、第１筒状部材２１の前端縁２１Ｅ（請求項に記載の第１筒状部材の端縁）から軸線と平行に後方へ直線状に延びるように形成されている。伸長用誘導溝２４の後端部（奥端部）には、回り止め部２７が形成されている。回り止め部２７は、伸長用誘導溝２４の後端部を、伸長用誘導溝２４と同じ幅で後方へ凹ませた形態である。
【００１６】
連通溝２５は、伸長用誘導溝２４の奥端部（後端部）から第１筒状部材２１の周方向へ延びるように形成されている。前後方向における連通溝２５の形成位置は、回り止め部２７より前方であって回り止め部２７に隣接する位置である。連通溝２５の延び方向は、第１筒状部材２１の正面視（図１〜４において右側から視たとき）における反時計回り方向である。
【００１７】
収縮用誘導溝２６は、連通溝２５の延び方向先端部から、第１筒状部材２１の軸線と平行に後方へ直線状に延びるように形成されている。前後方向において、収縮用誘導溝２６と伸長用誘導溝２４は、連通溝２５から前後反対方向へ延びている。また、収縮用誘導溝２６と伸長用誘導溝２４は周方向において異なる位置に配されている。上記構成になる一対の嵌合溝２３により、第１筒状部材２１の前側接続端部２１Ｆは一対の半割弧状部２８に区画される。
【００１８】
第２筒状部材２２の後側接続端部２２Ｒには、第１筒状部材２１の軸線に関して点対称な左右一対の切欠部２９が形成されている。切欠部２９は、第２筒状部材２２の後端縁２２Ｅ（請求項に記載の第２筒状部材の端縁）を前方へ凹ませた形態である。切欠部２９の幅寸法（周方向の寸法）は、伸長用誘導溝２４とほぼ同じ寸法である。切欠部２９の前端部（奥端部）は袋小路状に閉塞した形態である。
【００１９】
ワイヤーハーネス１０の組付け手順の一例を説明する。まず、電線１１の両端に端子金具１２を固着し、次に、電線１１の後端に固着されている端子金具１２を後側のコネクタ１３内に取り付ける。その後、複数本の電線１１を、第１筒状部材２１と第２筒状部材２２に挿通させる。次に、両筒状部材２１，２２を接近させて第２筒状部材２２の切欠部２９を第１筒状部材２１の伸長用誘導溝２４に挿入する。このとき、図１〜４に示すように、第１筒状部材２１の一方（図１〜４における上側）の半割弧状部２８を第２筒状部材２２の後側接続端部２２Ｒの内周側に潜り込ませるとともに、他方の半割弧状部２８を第２筒状部材２２の後側接続端部２２Ｒの外周に被せるようにする。
【００２０】
切欠部２９の奥端部が伸長用誘導溝２４の奥端部（回り止め部２７より手前の位置）に到達したら、両筒状部材２１，２２を相対回転させる。両筒状部材２１，２２の相対回転に伴い、切欠部２９の奥端部が、連通溝２５内を移動し、収縮用誘導溝２６の前端部に到達する。この後、第２筒状部材２２を第１筒状部材２１側へ押し動かすと、切欠部２９の奥端部が収縮用誘導溝２６内を後方へ移動する。
【００２１】
これに伴い、第１筒状部材２１の前側接続端部２１Ｆ（半割弧状部２８）と第２筒状部材２２の後側接続端部２２Ｒとの軸線方向の重なり寸法が増大し、第１筒状部材２１の後端から第２筒状部材２２の前端までの寸法（つまり、外装部材２０の全長）が短くなっていく。そして、図３，４に示すように、切欠部２９の奥端部が収縮用誘導溝２６の後端部（奥端部）に当接すると、外装部材２０の長さは最小となる。
【００２２】
外装部材２０の長さが最小になると、電線１１の前端部が外装部材２０の前方へ露出するので、電線１１の前端に固着されている端子金具１２を前側のコネクタ１３内に挿入する。前側のコネクタ１３への端子金具１２の挿入が完了した後は、第２筒状部材２２を第１筒状部材２１にた対して前方へスライドさせる。この間、外装部材２０の長さ寸法が次第に大きくなる。
【００２３】
そして、第２筒状部材２２の前端が前側のコネクタ１３に突き当たると、外装部材２０の長さが最長となる。このとき、第１筒状部材２１の前側接続端部２１Ｆ（半割弧状部２８）と第２筒状部材２２の後側接続端部２２Ｒは、軸線方向に重なったままである。この後は、両筒状部材２１，２２を相対回転させ、図２に示すように、切欠部２９の奥端部を回り止め部２７に嵌合させる。すると、両筒状部材２１，２２の相対回転が規制され、第２筒状部材２２が第１筒状部材２１に対して相対的に後方へ移動すること（つまり、外装部材２０が軸線方向に収縮すること）を規制される。これにより、外装部材２０はほぼ最長の状態に保たれ、ひいては、電線１１のうち両コネクタ１３の外部へ導出された領域が外装部材２０によって包囲される。
【００２４】
本実施例のワイヤーハーネス１０は、端部に端子金具１２が接続された電線１１と、端子金具１２を収容するコネクタ１３と、電線１１のうちコネクタ１３の外部へ導出されている領域を包囲する外装部材２０とを備える。外装部材２０は、端部同士（前側接続端部２１Ｆと後側接続端部２２Ｒ）が重なった状態で軸線方向（前後方向）に並ぶように配された第１筒状部材２１と第２筒状部材２２とを備えている。
【００２５】
第１筒状部材２１の前側接続端部２１Ｆには、第１筒状部材２１の前端縁２１Ｅから軸線方向に延びた伸長用誘導溝２４が形成され、同じく、第１筒状部材２１には、伸長用誘導溝２４の奥端部から周方向に延びた連通溝２５が形成されている。さらに、第１筒状部材２１には、連通溝２５の延び方向先端部から軸線方向に沿って伸長用誘導溝とは反対向きに延びた収縮用誘導溝２６が形成されている。一方、第２筒状部材２２の後側接続端部２２Ｒには、第２筒状部材２２の後端縁２２Ｅを凹ませた形態の切欠部２９が形成されている。
【００２６】
切欠部２９と収縮用誘導溝２６を嵌合させた状態では、第１筒状部材２１の前側接続端部２１Ｆと第２筒状部材２２の後側接続端部２２Ｒとの軸線方向における重なり寸法が比較的大きいので、外装部材２０が収縮した状態となる。この状態から第１筒状部材２１と第２筒状部材２２を軸線方向及び周方向に相対変位させて切欠部２９と伸長用誘導溝２４を嵌合させると、第１筒状部材２１の前側接続端部２１Ｆと第２筒状部材２２の後が接続端部の軸線方向における重なり寸法が小さくなり、外装部材２０が伸長する。この状態で切欠部２９の奥端と伸長用誘導溝２４の奥端とを軸線方向に当接させれば、別部材を用いなくても、外装部材２０は、収縮することを規制され、伸長状態に保持される。
【００２７】
また、伸長用誘導溝２４の奥端部には、連通溝２５よりも後方へ凹んだ形態の回り止め部２７が形成されている。この構成によれば、外装部材２０を伸長状態に保持するときに、切欠部２９の奥端を回り止め部２７に嵌入すれば、第１筒状部材２１と第２筒状部材２２の相対回転が規制される。これにより、切欠部２９が収縮用誘導溝２６側へ不正に変位することがないので、外装部材２０を確実に伸長状態に保持しておくことができる。
【００２８】
＜他の実施例＞
本発明は上記記述及び図面によって説明した実施例に限定されるものではなく、例えば次のような実施例も本発明の技術的範囲に含まれる。
（１）上記実施例では、伸長用誘導溝が第１筒状部材の軸線と平行な直線状に延びた形態であるが、伸長用誘導溝は、第１筒状部材の軸線に対して斜め方向に直線状に延びた形態でもよく、湾曲し又は波形をなして第１筒状部材の軸線に概ね沿うように延びた形態であってもよい。
（２）上記実施例では、収縮用誘導溝が第１筒状部材の軸線と平行な直線状に延びた形態であるが、収縮用誘導溝は、第１筒状部材の軸線に対して斜め方向に直線状に延びた形態でもよく、湾曲し又は波形をなして第１筒状部材の軸線に概ね沿うように延びた形態であってもよい。
（３）上記実施例では、連通溝が第１筒状部材の周方向に延びた形態であるが、連通溝は、第１筒状部材の周方向に対して斜め方向に延びた形態でもよく、湾曲し又は波形をなして第１筒状部材の周方向に概ね沿うように延びた形態であってもよい。
（４）上記実施例では、外装部材が１つの第１筒状部材と１つの第２筒状部材とによって構成されているが、外装部材は、１つの第１筒状部材の両端部に２つの第２筒状部材を並べて構成されていてもよく、２つの第１筒状部材を１つの第２筒状部材の両端部に並べて構成されていてもよい。
（５）上記実施例では、外装部材が第１筒状部材と第２筒状部材のみで構成されているが、外装部材は、第１筒状部材と第２筒状部材の他に別の筒状部材を並べた形態であってもよい。
（６）上記実施例では、切欠部の奥端が袋小路状に閉じた形態であるが、切欠部に第１筒状部材の伸長用誘導溝と同じ機能を持たせ、第１筒状部材と同様に、切欠部の奥端から連通溝を延ばし、更に、連通溝の奥端から収縮用誘導溝を延ばした形態としてもよい。この場合、第１筒状部材と第２筒状部材を共通部品とすることが可能である。
（７）上記実施例では、第１筒状部材に伸長用誘導溝と連通溝と収縮用誘導溝を一対ずつ形成したが、これに限らず、第１筒状部材に、伸長用誘導溝と連通溝と収縮用誘導溝を１本ずつだけ形成するとともに、第２筒状部材と同様の１つの切欠部を形成してもよい。この場合、第２筒状部材には、１つの切欠部に加えて、伸長用誘導溝と連通溝と収縮用誘導溝を１本ずつ形成すればよい。
（８）上記実施例では、伸長用誘導溝の奥端部に回り止め部を形成したが、このような回り止め部を形成しない形態としてもよい。
【符号の説明】
【００２９】
１０…ワイヤーハーネス
１１…電線
１２…端子金具
１３…コネクタ
２０…外装部材
２１…第１筒状部材
２１Ｅ…前端縁（第１筒状部材の端縁）
２１Ｆ…前側接続端部（第１筒状部材の端部）
２２…第２筒状部材
２２Ｅ…後端縁（第２筒状部材の端縁）
２２Ｒ…後側接続端部（第２筒状部材の端部）
２４…伸長用誘導溝
２５…連通溝
２６…収縮用誘導溝
２７…回り止め部
２９…切欠部
【図１】
0006512124.tif 000002
【図２】
0006512124.tif 000003
【図３】
0006512124.tif 000004
【図４】
0006512124.tif 000005
【図５】
0006512124.tif 000006
【図６】
0006512124.tif 000007
【図７】
0006512124.tif 000008
【図８】
0006512124.tif 000009
【図９】
0006512124.tif 000010